(57)【要約】【課題】排尿時の尿量情報から、測定対象の尿量の変化を把握する。【解決手段】尿量測定機器は、測定対象の排尿の開始から終了までの排尿時間に測定された排尿量に基づき、単位時間毎の排尿量を算出する演算部(２２)と、演算部により算出された単位時間毎の排尿量を表す排尿情報を、出力部に出力させるための情報処理部（２３）と、を備える。【選択図】図５
2017042354.tif 000002
【特許請求の範囲】
【請求項１】
測定対象の排尿の開始から終了までの排尿時間に測定された排尿量に基づき、単位時間毎の排尿量を算出する演算部と、
前記演算部により算出された前記単位時間毎の排尿量を表す排尿情報を、出力部に出力させるための情報処理部と、を備える、尿情報処理装置。
【請求項２】
前記排尿情報を格納するための情報格納部と、
前記演算部により算出された前記排尿情報と、前記情報格納部に格納されている前記排尿情報とを比較する比較部と、
前記比較の結果を、前記出力部に出力させるための比較結果処理部と、をさらに備える、請求項１に記載の尿情報処理装置。
【請求項３】
前記比較部は、さらに、
前記演算部により算出された前記排尿情報と、前記情報格納部に格納されている複数の前記排尿情報を代表する情報である代表情報とを比較する、請求項２に記載の尿情報処理装置。
【請求項４】
前記比較の結果に基づき、測定対象の泌尿器系疾患のリスクを評価する評価部と、
前記評価の結果を、前記出力部に出力させるための評価結果処理部と、をさらに備える、請求項２または３に記載の尿情報処理装置。
【請求項５】
測定対象の排尿量を測定するセンサにより測定された排尿量を受信するための受信部を、さらに備える、請求項１から４のいずれか１項に記載の尿情報処理装置。
【発明の詳細な説明】
【技術分野】
【０００１】
本発明は尿に関する情報を処理する装置に関し、特に、尿量の情報を処理する尿情報処理装置に関する。
【背景技術】
【０００２】
被験者が尿道結石または腎不全等を患っている場合には、排尿時の経過時間に従って尿量と観測することで得られたデータには、当該疾患に特有の特徴データが含まれることが知られている。近年の健康志向の高まりから、被験者は、排尿時に尿量に関する情報をその場で知りたいとの要望があった。
【０００３】
排尿に関する測定装置について、例えば、特許文献１（特開２００２−１８６６０１号公報）と特許文献２（特開２００８−２０６５９２号公報）では、患者の時間毎の排尿データを測定し、測定データを外部装置に送信する構成を示す。
【先行技術文献】
【特許文献】
【０００４】
【特許文献１】特開２００２−１８６６０１号公報
【特許文献２】特開２００８−２０６５９２号公報
【発明の概要】
【発明が解決しようとする課題】
【０００５】
特許文献１と２の装置は、病院などの専門の施設で、患者の排尿に関するデータを専門医などが知見に基づき、判断することを前提として用いられている。したがって、特許文献１と２の装置は、上記に述べた被験者の要望に応えることはできない。
【０００６】
それゆえに本開示のある局面の目的は、排尿時の尿量情報から、測定対象の尿量の変化を把握することを可能にする尿情報処理装置を提供することである。
【課題を解決するための手段】
【０００７】
この開示のある局面に従う尿情報処理装置は、測定対象の排尿の開始から終了までの排尿時間に測定された排尿量に基づき、単位時間毎の排尿量を算出する演算部と、演算部により算出された単位時間毎の排尿量を表す排尿情報を、出力部に出力させるための情報処理部と、を備える。
【発明の効果】
【０００８】
本開示によれば、排尿時の尿量情報から、測定対象の尿量の変化を把握することができる。
【図面の簡単な説明】
【０００９】
【図１】実施の形態１に係る尿量測定機器１００の構成を概略的に示す図である。
【図２】実施の形態１に係るセンサ３１の構成を概略的に示す図である。
【図３】実施の形態１に係るトイレットルームを概略的に示す図である。
【図４】実施の形態１に係るセンサ３１の設置態様を模式的に示す図である。
【図５】実施の形態１に係る尿情報を処理するための機能の構成を概略的に示す図である。
【図６】実施の形態１に係るデータベースの構成を概略的に示す図である。
【図７】実施の形態１に係る排尿量に関する情報の処理フローチャートである。
【図８】実施の形態１に係る比較結果の表示例を示す図である。
【図９】実施の形態２に係る排尿量に関する情報の処理フローチャートである。
【図１０】実施の形態３に係る尿量測定機器１０１の構成を概略的に示す図である。
【発明を実施するための形態】
【００１０】
以下、図面を参照しつつ、実施の形態に係る尿情報処理装置を説明する。
（概要）
本実施の形態に係る尿情報処理装置は、測定対象の排尿の開始から終了までの排尿時間に測定された排尿量に基づき、単位時間毎の排尿量を算出する。演算部により算出された当該排尿時間における単位時間毎の排尿量を表す情報は出力部を介し出力される。
【００１１】
これにより、測定対象の単位時間当たりの尿量の変化を把握することができるようになる。
【００１２】
［実施の形態１］
（装置の構成）
図１は、実施の形態１に係る尿量測定機器１００の構成を概略的に示す図である。図２は、実施の形態１に係るセンサ３１の構成を概略的に示す図である。図３は、実施の形態１に係るトイレットルームを概略的に示す図である。図４は、実施の形態１に係るセンサ３１の設置態様を模式的に示す図である。なお、尿量測定機器１００は、「尿情報処理装置」の一実施例である。
【００１３】
図３を参照して、トイレットルーム３００には、扉３０１、赤外線等を用いて被験者（ユーザ）の入退室を検知するための人感センサ３０２、尿量測定機器１００、および洋風の便器３０が設置される。図４を参照して、便器３０は、被験者からの排尿が落下する溜水３２が溜められる凹部を有する。溜水３２への排尿量を測定するために、便器３０は、後述するセンサ３１を備える。
【００１４】
実施の形態１では、尿量測定機器１００は、被験者が携帯可能な端末として構成される。携帯型端末は、スマートフォン等の情報通信端末を含む。図１を参照して、尿量測定機器１００は、ＣＰＵ（Central  Processing  Unit）１、ＲＯＭ（Read  Only  Memory）およびＲＡＭ（Random  Access  Memory）を含むメモリ２、タイマ３、記憶部４、バッテリ等の電源５、尿量検出部６、ボタン，スイッチ等からなる操作部８、出力部９、およびセンサ３１および人感センサ３０２と通信する通信部１３を備える。
【００１５】
記憶部４は、被験者の尿量情報を格納するためのＤＢ（データベースの略）１０と、評価テーブルＴＢとを格納する。記憶部４は、尿量測定機器１００に着脱自在の記憶媒体として構成されてもよい。
【００１６】
出力部９は、表示部（ディスプレイ）またはスピーカ等の音声出力部を含む。なお、操作部８と出力部９の表示部とは、一体的に構成されたタッチパネルとして提供されてもよい。
【００１７】
図２を参照して、センサ３１は、ＣＰＵ（（Central  Processing  Unit）３２、メモリ３３、水位センサ部３４および通信部３５を備える。水位センサ部３４は、例えば圧力式水位センサから構成される。水位センサ部３４は、図４の凹部の溜水３２からの圧力（水圧）を検出し、検出された圧力を水位に変換する。ＣＰＵ３１は、変換により得られた水位を、通信部３５を介して尿量測定機器１００に送信する。
【００１８】
尿量測定機器１００の尿量検出部６は、通信部１３を介して、センサ３１から溜水３２の水位（単位：ミリリットル）データを定期的に受信し、受信した水位データを受信の順番に従う時系列データに変換し、時系列データをＣＰＵ１に出力する。これにより、ＣＰＵ１は、時系列データから、溜水３２の水位の変化を検出することができる。
【００１９】
なお、センサ３１による溜水３２の水位の測定方法は圧力を用いる方法に限定されず、超音波を用いる方法であってもよい。また、排尿量は、溜水３２の水位を用いて測定する方法に限定されない。例えば、センサ３１が重量センサから構成される場合には、ＣＰＵ１は、重量センサにより測定される溜水３２の重量の変化を示す時系列データから溜水３２に落下した排尿量を検出することができる。
【００２０】
（機能の構成）
図５は、実施の形態１に係る尿情報を処理するための機能の構成を概略的に示す図である。本実施の形態では、図５に示す各部の機能は、尿量測定機器１００のＣＰＵ１が実行するプログラムとして提供される。これらプログラムは、メモリ２または記憶部４に格納される。ＣＰＵ１は、プログラムを記憶部から読出し、読出されたプログラムを実行する。
【００２１】
図５を参照して、ＣＰＵ１は、タイマ３の出力に基づき被験者の排尿の開始から終了までの排尿時間に測定するための計時部２１、排尿時間において測定された排尿量に基づき、単位時間毎の排尿量を算出する演算部２２、および算出された単位時間毎の排尿量を表す情報を、出力部９に出力させるための情報処理部２３を備える。
【００２２】
ＣＰＵ１は、さらに、排尿時間における単位時間毎の排尿量を表す排尿情報をＤＢ１０に格納するための情報格納部２４、演算部２２により算出された排尿時間における単位時間毎の排尿量を表す情報と、ＤＢ１０に既に格納されている排尿情報とを比較する比較部２５、および当該比較の結果を、出力部９に出力させるための比較結果処理部２６を備える。比較の詳細については、図８で後述する。
【００２３】
ＣＰＵ１は、さらに、比較の結果に基づき、評価テーブルＴＢを検索し、検索の結果に基づき、被験者の泌尿器系疾患のリスクを評価するための評価部２７、および当該評価の結果を、出力部９に出力させるための評価結果処理部２８を備える。評価の詳細については、図８で後述する。
【００２４】
（データベースの構成）
図６は、実施の形態１に係るデータベースの構成を概略的に示す図である。図６を参照して、ＤＢ１０に格納される情報は、１つ以上のレコードＲｉ（ｉ＝１，２，３，・・・，ｎ）と、代表レコードＲＭを含む。レコードＲｉは、被験者の排尿毎に演算部２２により算出された排尿情報を示す。具体的には、レコードＲｉは、対応の排尿が検出された日時（月、日、時、分）を示すデータＤ１、ステータスＳＴおよび排尿データＤ２を含む。排尿データＤ２は、対応の排尿時間において、演算部２２によって算出された単位時間毎の排尿量を示す。ステータスＳＴは、評価部２７による評価の結果であって、当該排尿情報を泌尿器系疾患のリスクに関して評価した結果を示す。例えば、リスクがあると評価された場合には、ステータスＳＴには“異常”がセットされ、リスクが無いと評価された場合には“正常”がセットされる。なお、図６では、説明のために単位時間を１秒間としているが、１秒間に限定されない。
【００２５】
代表レコードＲＭは、複数のレコードＲｉの排尿情報を代表する情報である代表情報を示す。具体的には、代表レコードＲＭは、代表情報であることを識別するための識別子Ｄ３と、代表排尿データＤ４を含む。代表排尿データＤ４は、各単位時間について、全てのレコードＲｉの当該単位時間に該当する排尿量の統計値である平均値を含む。具体的には、代表排尿データＤ４は、排尿開始〜１秒、１秒〜２秒、２秒〜３秒、…の各単位時間に対応付けて、全てのレコードＲｉの当該単位時間における排尿量の平均値を示す。
【００２６】
なお、ここでは、代表情報は、全てのレコードＲｉの排尿情報から算出された平均値としているが、平均値に限定されない。たとえば、代表情報は、最頻値または中央値等であってもよい。
【００２７】
（フローチャート）
図７は、実施の形態１に係る排尿量に関する情報の処理フローチャートである。このフローチャートに従うプログラムは、メモリ２に格納される。ＣＰＵ１は、格納されたプログラムを読出し、読出されたプログラムを実行する。
【００２８】
図７を参照して、尿量測定機器１００の電源がＯＮされると、ＣＰＵ１はプログラムを起動しＩＤＬＥ状態（待ち状態）に置く（ステップＳ１１）。ＩＤＬＥ状態において、ＣＰＵ１は、尿量検出部６から時系列に入力する水位が予め定められた量だけ増加したか否かに基づき、排尿の開始を判断する（ステップＳ１３）。
【００２９】
ＣＰＵ１が、水位が予め定められた量だけ増加した、すなわち排尿が開始されたと判断すると（ステップＳ１３でＹＥＳ）、処理は後述するステップＳ１５に移行するが、水位が予め定められた量だけ増加しない、すなわち排尿は開始されていないと判断する間（ステップＳ１３でＮＯ）は、ステップＳ１１とＳ１３の処理が繰返される。
【００３０】
排尿が開始されたことが判断されると（ステップＳ１３でＹＥＳ）、計時部２１は、タイマ３の出力に基づき排尿時間の計時を開始する（ステップＳ１５）。計時部２１は、計時した時間を示す時間データの通知を、演算部２２に出力する。
【００３１】
演算部２２は、計時部２１からの時間データと、尿量検出部６からの時系列の水位データとに基づき、単位時間毎の排尿量を算出する（ステップＳ１９）。例えば、１秒前の水位データと現時点の水位データから両水位の差を算出することにより、単位時間毎の排尿量を算出する。演算部２２は、算出された単位時間毎の排尿量をメモリ２の領域に格納する（ステップＳ２１）。
【００３２】
ＣＰＵ１は尿量検出部６から時系列に入力する水位データに基づき、予め定められた時間にわたり、水位が増加しない状態が継続するか否かに基づき、排尿の終了を判断する（ステップＳ２３）。または、ＣＰＵ１は、操作部８が受付けたユーザの操作内容に基づき、排尿終了のボタン操作がなされたか否か、すなわち排尿は終了したかを判断する（ステップＳ２３）。
【００３３】
ＣＰＵ１は、排尿が終了したことを判断しない間は（ステップＳ２３でＮＯ）、処理はステップＳ１７に戻り、以降の処理（ステップＳ１７〜Ｓ２３）が、上述と同様に繰返される。処理が繰返されることにより、排尿時間においては、単位時間毎に排尿量が算出されて、算出された排尿量が時系列にメモリ２に格納される。
【００３４】
一方、ＣＰＵ１は排尿が終了したことを判断すると（ステップＳ２３でＹＥＳ）、排尿時間の計時を停止するように、計時部２１を制御する。これにより、排尿時間の計時は終了する。情報格納部２４は、上記のループ処理においてメモリ２に格納された単位時間毎の排尿量を、メモリ２から読出し、読出された内容に基づき上記に述べたレコードＲｉを生成し、生成されたレコードＲｉをＤＢ１０に格納する（ステップＳ２７）。
【００３５】
比較部２５は、今回の排尿時間において、演算部２２により算出された排尿情報（すなわち、ステップＳ２７で生成されたレコードＲｉの排尿データＤ２）と、ＤＢ１０の代表レコードＲＭの代表排尿データＤ４とを比較する。比較の結果と、比較結果に基づく泌尿器系疾患のリスクの評価を被験者に通知するために、比較結果処理部２６および評価部２７は、これら情報を出力部９に出力させる（ステップＳ２９）。この出力情報の詳細は、図８で後述する。
【００３６】
その後、ＣＰＵ１は、ＤＢ１０のレコードＲｉに基づき、平均値による代表情報を算出し、算出された代表情報を用いて、代表レコードＲＭのデータを書換える（ステップＳ３１）。これにより、代表レコードＲＭは、最新の情報を示すように管理される。その後、プログラムは元のＩＤＬＥ状態に移行する（ステップＳ３３）。
【００３７】
このように、被験者の排尿時間にわたって排尿量が検出され、検出結果に基づく排尿情報（レコードＲｉ）がＤＢ１０に格納されるとともに、被験者には、当該排尿情報と代表情報との比較の結果に基づく通知が提示される。
【００３８】
（情報の出力例）
図８は、実施の形態１に係る比較結果の表示例を示す図である。図７のステップＳ２９において、比較部２５は、今回の排尿情報（レコードＲｉ）と代表情報（代表レコードＲＭ）とを比較し、比較結果処理部２６は、その比較結果に基づき図８の（Ｂ）、（Ｄ）または（Ｆ）のようなグラフの画像データを生成し、出力部９に出力する。出力部９は、画像データによりディスプレイを駆動し、ディスプレイにグラフを表示する。図８の（Ｂ）、（Ｄ）または（Ｆ）に示されるように、グラフは、横軸に時間（排尿時間）、および縦軸は排尿量をそれぞれとって、単位時間毎の排尿量を時系列にプロットすることにより生成されている。
【００３９】
評価部２７は、比較の結果に基づき、泌尿器系疾患のリスクを評価する。評価結果処理部２８は、評価の結果に基づく図８の（Ａ）、（Ｃ）または（Ｅ）のようなメッセージデータを生成し、出力部９に出力する。出力部９は、メッセージデータによりディスプレイを駆動し、ディスプレイにメッセージを表示する。いずれのメッセージも、文字のみからなるが、文字に限定されず画像（動画・静止画）を含んでもよい。
【００４０】
評価部２７は、記憶部４の評価テーブルＴＢを検索し、検索の結果に基づき、泌尿器系疾患のリスクを評価する。評価テーブルＴＢは、複数の比較結果パターンと、各比較結果パターンに関連付けられた泌尿器系疾患のリスクを評価するためのメッセージデータとが登録されている。
【００４１】
例えば、比較の結果が、今回の排尿情報による排尿時間は、代表情報の排尿時間より短く、両者の排尿時間の差が予め定めた時間以上であることを示す場合（図８の（Ｂ）参照）、評価部２７は、当該比較の結果に基づき評価テーブルＴＢを検索し、関連付けられたメッセージデータ（図８の（Ａ）参照）を評価テーブルＴＢから読出す。これにより、排尿を開始してからすぐに排尿を終了したと判断されたときは、被験者に対して、泌尿器系疾患のリスク評価（“ステータス：異常  尿路結石や腎不全の疑いがある”）の通知を出力することができる。
【００４２】
また、例えば、比較の結果が、今回の排尿情報によるトータルの排尿量が、代表情報の排尿量より少なく、両者の排尿量の差が予め定めた量を超えることを示す場合（図８の（Ｄ）参照）、評価部２７は、当該比較の結果に基づき評価テーブルＴＢを検索し、関連付けられたメッセージデータ（図８の（Ｃ）参照）を評価テーブルＴＢから読出す。これにより、排尿時間におけるトータル排尿量が過去の平均排尿量より大幅に減ったときは、泌尿器系疾患のリスク評価（“ステータス：異常  尿路結石や腎不全の疑いがある”）の通知を出力することができる。
【００４３】
また、例えば、比較の結果が、単位時間あたりの排尿量が、代表情報の単位時間あたりの排尿量よりも予め定められた量を超えて増加していることを示す場合（図８の（Ｆ）参照）、評価部２７は、当該比較の結果に基づき評価テーブルＴＢを検索し、関連付けられたメッセージデータ（図８の（Ｅ）参照）を評価テーブルＴＢから読出す。これにより、単位時間の排尿量が過去の平均排尿量よりも増加しているときは、泌尿器系疾患のリスク評価（“ステータス:異常  腎不全の疑いがある”）の通知を出力することができる。
【００４４】
なお、評価部２７は、比較の結果に基づき評価テーブルＴＢを検索した場合に、該当するデータにヒットしなかったときは、“正常”のデータを、評価結果処理部２８に出力する。これより、出力部９を介して異常がない旨のメッセージが出力される。
【００４５】
また、評価部２７は、評価テーブルＴＢの検索結果に基づき、“ステータス”の値（異常または正常）を情報格納部２４に通知する。情報格納部２４は、評価部２７からの通知に基づき、対応するレコードＲｉのステータスＳＴに“異常”または“正常”をセットする。
【００４６】
図８の出力内容から、被験者は、疾患の可能性に早期に気づくことができる。なお、実施の形態１では、尿量の測定対象は人間としたが、測定対象は人間に限定されず、犬や猫などの動物も含まれる。
【００４７】
［実施の形態２］
実施の形態２は、実施の形態１の変形例を示す。実施の形態１では、図７の処理の開始は電源ＯＮに基づき判断されたが、実施の形態２では、トイレットルーム３００への入室の検知に基づき判断される。
【００４８】
図９は、実施の形態２に係る排尿量に関する情報の処理フローチャートである。図９は、図７のフローチャートにステップＳ７とＳ９の処理を追加したものであり、他の処理は図７と同じであるので、他の処理の説明は繰返さない。
【００４９】
図９を参照して、ＣＰＵ１は、通信部１３を介して受信した人感センサ３０２の出力に基づき、被験者がトイレットルーム３００に入室したか否かを判断する（ステップＳ７）。入室していないと判断されると（ステップＳ７でＮＯ）、ステップＳ７の処理が繰返されるが、入室したと判断されると（ステップＳ７でＹＥＳ）、ＣＰＵ１は電源５をＯＮする（ステップＳ９）。これにより、電源５から各部に電力が供給される。ＣＰＵ１は、ステップＳ１１以降の処理を、図７と同様に実施する。
【００５０】
なお、図９では、トイレットルーム３００からの被験者の退出検知は、割込みとして扱われる。具体的には、ステップＳ１１のＩＤＬＥ状態において、ＣＰＵ１は人感センサ３０２の出力に基づき、被験者の退出を判断したときは、割込処理により、電源５をＯＮ→ＯＦＦに変更し、各部への電力供給を停止する。これにより、図９の処理は終了する。
【００５１】
［実施の形態３］
実施の形態３は、実施の形態１または２の変形例を示す。実施の形態１と２では、尿量測定機器１００が、ＤＢ１０と評価テーブルＴＢを格納した記憶部４を備えるようしたが、実施の形態３のように、当該記憶部を、尿量測定機器１００代えて外部の情報所端末であるサーバ２００に備えるようにしてもよい。図１０は、実施の形態３に係る尿量測定機器１０１の構成を概略的に示す図である。
【００５２】
図１０の尿量測定機器１０１は、尿量測定機器１００と比較した場合に、記憶部４に代えて、サーバ２００と通信する通信部７を備えている。尿量測定機器１０１の他の構成は、図１の構成と同様であるから説明は繰返さない。
【００５３】
サーバ２００の記憶部１８は、尿量測定機器１０１のユーザ（被験者）の排尿情報が登録されるＤＢ１０と、評価テーブルＴＢとを含む。尿量測定機器１０１において、図７または図９の処理により生成されたレコードＲｉは、通信部７を介してサーバ２００に送信される。ＣＰＵ１１は、レコードＲｉを受信すると、受信されたレコードＲｉをＤＢ１０に登録する。なお、サーバ２００が、尿量測定機器１０１に代えてレコードＲｉを生成するように構成されてもよい。
【００５４】
サーバ２００のＣＰＵ１１は、比較部２５および評価部２７の機能を備えてもよい。その場合には、サーバ２００で上記の排尿情報と代表情報の比較処理および泌尿器系疾患のリスク評価が実施される。比較の結果およびリスク評価結果は、サーバ２００から尿量測定機器１０１に送信される。尿量測定機器１０１は、サーバ２００から受信した情報を、出力部９を介して表示する。これにより、上記の各実施の形態と同様に、被験者に対して比較の結果とリスク評価（図８参照）の情報を提示することができる。
【００５５】
［実施の形態４］
実施の形態４では、上記の各実施の形態の変形例を示す。尿量測定機器１００は、携帯型に限定されず、トイレットルーム３００の壁面において、排便・排尿時に被験者が操作しやすい位置に固定に設置される端末として構成されてもよい。
【００５６】
また、図７のステップＳ２７では、レコードＲｉは一律にＤＢ１０に格納されるとしたが、選択的に格納されるとしてもよい。具体的には、操作部８を介したユーザ指示があったときは、レコードＲｉのＤＢ１０への格納が省略されるとしてもよい。例えば、被験者は、排尿に失敗した場合には、操作部８から指示を入力することで、この失敗時の排尿情報がＤＢ１０に登録されないようにすることができる。
【００５７】
また、情報処理部２３は、演算部２２により単位時間の排尿量が算出される毎に、算出された排尿量を表す情報を、出力部９に出力させるようにしてもよい。これにより、被験者は、排尿しながら、排尿の開始から終了までの時間における排尿量の時系列の変動をリアルタイムに確認することができる。
【００５８】
また、ＣＰＵ１は、ＤＢ１０のレコードＲｉに基づき代表情報を算出する場合に、ステータスＳＴが“異常”を示すレコードＲｉは、算出の対象から除外する。これにより、代表レコードＲＭの代表情報を用いた比較部２５による比較および評価部２７により評価を、より正確な情報として提供することができる。
【００５９】
また、実施の形態２では、人感センサ３０２は、赤外線を利用してトイレットルーム３００への入室を検出したが、検出方法はこれに限定されない。例えば、人感センサ３０２は、尿量測定機器１００（１０１）を搭載した携帯端末の近距離通信の電界強度を検出し、検出結果に基づき被験者が入室したか否かを判断する方法であってもよい。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６１】
６  尿量検出部、９  出力部、２１  計時部、２２  演算部、２３  情報処理部、２４  情報格納部、２５  比較部、２６  比較結果処理部、２７  評価部、２８  評価結果処理部、３０  便器、３１  センサ、３２  溜水、３４  水位センサ部、１００，１０１  尿量測定機器、２００  サーバ、３００  トイレットルーム、３０１  扉、３０２  人感センサ、ＲＭ  代表レコード、Ｒｉ  レコード、ＳＴ  ステータス。
【図１】
2017042354.tif 000003
【図２】
2017042354.tif 000004
【図３】
2017042354.tif 000005
【図４】
2017042354.tif 000006
【図５】
2017042354.tif 000007
【図６】
2017042354.tif 000008
【図７】
2017042354.tif 000009
【図８】
2017042354.tif 000010
【図９】
2017042354.tif 000011
【図１０】
2017042354.tif 000012